(57)【要約】      （修正有）【課題】記録媒体に記録されたデーターの読出作業における効率化を図る。【解決手段】記録媒体１００、１００、・・・を収納する収納部１５、１５、・・・を有し筐体２に対して引出可能とされた収納ブロック３と、記録媒体に記録されたデーターを読み出して記憶装置に送出するドライブブロック４と、記録媒体を収納ブロック又はドライブブロックから取り出して取り出した記録媒体を搬送してドライブブロックに装着又は収納ブロックに収納する搬送ブロック５とを設け、複数の収納部にそれぞれ対応して配置され、少なくとも収納ブロックが筐体から引き出されたときに、記録されたデーターの記憶装置への送出が完了した記録媒体が収納された収納部における表示状態と記録されたデーターの記憶装置への送出が完了していない記録媒体が収納された収納部における表示状態とを異なるように表示する表示素子１０、１０、・・・を設けた。【選択図】図３
2008262659.tif 000002
【特許請求の範囲】
【請求項１】
記録媒体をそれぞれ収納する複数の収納部を有すると共に筐体に対して引出可能とされた収納ブロックと、
記録媒体が装着され該記録媒体に記録されたデーターを読み出して記憶装置に送出するドライブブロックと、
記録媒体を収納ブロック又はドライブブロックから取り出して取り出した記録媒体を搬送してドライブブロックに装着又は収納ブロックに収納する搬送ブロックとを備え、
複数の収納部にそれぞれ対応して配置され、少なくとも収納ブロックが筐体から引き出されたときに、記録されたデーターの記憶装置への送出が完了した記録媒体が収納された収納部における表示状態と記録されたデーターの記憶装置への送出が完了していない記録媒体が収納された収納部における表示状態とを異なるように表示する表示素子を設けた
ことを特徴とする記録媒体チェンジャー。
【請求項２】
収納ブロックが筐体から引き出されたときに表示素子を点灯可能又は点滅可能とし、
収納ブロックが筐体の内部に引き込まれたときに全ての表示素子を消灯するようにした
ことを特徴とする請求項１に記載の記録媒体チェンジャー。
【請求項３】
記録されたデーターの記憶装置への送出が完了した記録媒体が収納されている収納部に対応して配置された表示素子を点滅させ、
記録されたデーターの記憶装置への送出が完了していない記録媒体が収納されている収納部に対応して配置された表示素子を点灯させ、
ドライブブロック又は搬送ブロックに保持されている記録媒体が収納される予定の収納部に対応して配置された表示素子を点灯させ、
記録媒体が収納されていない収納部に配置された表示素子を消灯させるようにした
ことを特徴とする請求項１に記載の記録媒体チェンジャー。
【請求項４】
上記収納ブロックに、
一方に開口された保持用筐体と、
上記複数の収納部をそれぞれ有し保持用筐体に対して装填可能及び取出可能とされ該保持用筐体に装填されたときに所定の方向に配列される複数の収納ケースと、
複数の収納部にそれぞれ対応して配置され記録媒体の収納部に対する収納の有無を検出するセンサーが搭載され保持用筐体に取り付けられた回路基板とを設け、
各収納ケースにセンサーによる記録媒体の収納部に対する収納の有無を検出するための検出用孔又は検出用切欠を形成した
ことを特徴とする請求項１に記載の記録媒体チェンジャー。
【請求項５】
記録媒体をそれぞれ収納する複数の収納部を有すると共に筐体に対して引出可能とされた収納ブロックと、
記録媒体が装着され該記録媒体に記録されたデーターを読み出して記憶装置に送出するドライブブロックと、
記録媒体を収納ブロック又はドライブブロックから取り出して取り出した記録媒体を搬送してドライブブロックに装着又は収納ブロックに収納する搬送ブロックとを備え、
複数の収納部にそれぞれ対応して配置され、少なくとも収納ブロックが筐体から引き出されたときに、収納部に収納された記録媒体の当該収納部からの取出が可能である表示状態と収納部に収納された記録媒体の当該収納部からの取出が不可能である表示状態とを異なるように表示する表示素子を設けた
ことを特徴とする記録媒体チェンジャー。
【発明の詳細な説明】
【技術分野】
【０００１】
本発明は記録媒体チェンジャーについての技術分野に関する。詳しくは、記録媒体を収納する収納ブロックが筐体に対して引出可能とされた記録媒体チェンジャーについて記録媒体に記録されたデーターの読出作業における効率化を図る技術分野に関する。
【背景技術】
【０００２】
記録媒体、例えば、光ディスク等のディスク状記録媒体をそれぞれ収納する複数の収納部を有する収納ブロックを備え、各収納部から所望の記録媒体を取り出してドライブブロックに装着し、装着した記録媒体に対して情報信号の記録や再生を行い、又は、記録媒体に記録されたデーターを読み出して他の記憶装置への送出（アップロード）を行う記録媒体チェンジャーがある（例えば、特許文献１参照）。
【０００３】
記録媒体に記録されたデーターを読み出して他の記憶装置へのアップロードを行う記録媒体チェンジャーにあっては、例えば、収納ブロックが筐体の内部に引き込まれたときに、搬送ブロックによって記録媒体が収納ブロックからドライブブロックまで搬送されて、該ドライブブロックに装着される。
【０００４】
記録媒体チェンジャーはコンピューター等の外部機器と接続されており、外部機器に設けられたハードディスクやメモリー等の記憶装置に、ドライブブロックで読み出されたデーターが順にアップロードされる。
【０００５】
アップロードされたデーターは、コンピューター等の外部機器において、例えば、編集データーとして用いられる。
【０００６】
データーのアップロードが完了した記録媒体は、搬送ブロックによってドライブブロックから取り出され収納ブロックまで搬送されて再び元の収納部に収納される。
【０００７】
【特許文献１】特開平５−３２５３６１号公報
【発明の開示】
【発明が解決しようとする課題】
【０００８】
ところが、従来の記録媒体チェンジャーにあっては、記録媒体が収納された収納ブロックが筐体から引き出されたときに、各収納部に収納された記録媒体のうちアップロードの完了した記録媒体と完了していない記録媒体とが区別できず、収納部からの記録媒体の取出の可否が判別できないことがあった。
【０００９】
従って、例えば、新たな記録媒体が収納部に収納され収納ブロックが筐体の内部に引き込まれたときには、改めて収納された全ての記録媒体についてデーターのアップロードが行われ、その分、データーの読み出しに費やされる時間が長くなり、作業性が悪いと言う問題がある。
【００１０】
また、収納部からの取出をするべきではない記録媒体を取り出してしまうことにより、当該記録媒体の再度の収納と言う無駄な作業を行ってしまうと言う不具合もある。
【００１１】
そこで、本発明記録媒体チェンジャーは、上記した問題点を克服し、記録媒体に記録されたデーターの読出作業等における効率化を図ることを課題とする。
【課題を解決するための手段】
【００１２】
本発明記録媒体チェンジャーは、上記した課題を解決するために、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを設け、複数の収納部にそれぞれ対応して配置され、少なくとも収納ブロックが筐体から引き出されたときに、記録されたデーターの記憶装置への送出が完了した記録媒体が収納された収納部における表示状態と記録されたデーターの記憶装置への送出が完了していない記録媒体が収納された収納部における表示状態とを異なるように表示する表示素子を設けたものである。
【００１３】
従って、本発明記録媒体チェンジャーにあっては、表示素子の表示状態によって、各記録媒体に関して記録されたデーターの記憶装置への送出の状態が区別される。
【００１４】
別の本発明記録媒体チェンジャーは、上記した課題を解決するために、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを設け、複数の収納部にそれぞれ対応して配置され、少なくとも収納ブロックが筐体から引き出されたときに、収納部に収納された記録媒体の当該収納部からの取出が可能である表示状態と収納部に収納された記録媒体の当該収納部からの取出が不可能である表示状態とを異なるように表示する表示素子を設けたものである。
【００１５】
従って、本発明記録媒体チェンジャーにあっては、表示素子の表示状態によって、各記録媒体に関して収納部からの取出の可否の状態が区別される。
【発明の効果】
【００１６】
本発明記録媒体チェンジャーは、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを備え、複数の収納部にそれぞれ対応して配置され、少なくとも収納ブロックが筐体から引き出されたときに、記録されたデーターの記憶装置への送出が完了した記録媒体が収納された収納部における表示状態と記録されたデーターの記憶装置への送出が完了していない記録媒体が収納された収納部における表示状態とを異なるように表示する表示素子を設けたことを特徴とする。
【００１７】
従って、データーのアップロードが完了した記録媒体か否かを使用者が視覚的に判別することができ、記録媒体に記録されたデーターのアップロードに関する作業効率を向上させることができる。
【００１８】
請求項２に記載した発明にあっては、収納ブロックが筐体から引き出されたときに表示素子を点灯可能又は点滅可能とし、収納ブロックが筐体の内部に引き込まれたときに全ての表示素子を消灯するようにしたので、表示素子を不必要に点灯又は点滅させることがなく、省電力化を図ることができる。
【００１９】
請求項３に記載した発明にあっては、記録されたデーターの記憶装置への送出が完了した記録媒体が収納されている収納部に対応して配置された表示素子を点滅させ、記録されたデーターの記憶装置への送出が完了していない記録媒体が収納されている収納部に対応して配置された表示素子を点灯させ、ドライブブロック又は搬送ブロックに保持されている記録媒体が収納される予定の収納部に対応して配置された表示素子を点灯させ、記録媒体が収納されていない収納部に配置された表示素子を消灯させるようにしたので、記録媒体の判別を容易に行うことができ、記録媒体の取扱いに関して使い勝手の向上を図ることができる。
【００２０】
請求項４に記載した発明にあっては、上記収納ブロックに、一方に開口された保持用筐体と、上記複数の収納部をそれぞれ有し保持用筐体に対して装填可能及び取出可能とされ該保持用筐体に装填されたときに所定の方向に配列される複数の収納ケースと、複数の収納部にそれぞれ対応して配置され記録媒体の収納部に対する収納の有無を検出するセンサーが搭載され保持用筐体に取り付けられた回路基板とを設け、各収納ケースにセンサーによる記録媒体の収納部に対する収納の有無を検出するための検出用孔又は検出用切欠を形成したので、収納ケースが保持用筐体に装填された状態において収納部に対する記録媒体の有無検出を行うことができ、収納ケース単位で記録媒体の取扱いを行うことができる。
【００２１】
別の本発明記録媒体チェンジャーは、記録媒体をそれぞれ収納する複数の収納部を有すると共に筐体に対して引出可能とされた収納ブロックと、記録媒体が装着され該記録媒体に記録されたデーターを読み出して記憶装置に送出するドライブブロックと、記録媒体を収納ブロック又はドライブブロックから取り出して取り出した記録媒体を搬送してドライブブロックに装着又は収納ブロックに収納する搬送ブロックとを備え、複数の収納部にそれぞれ対応して配置され、少なくとも収納ブロックが筐体から引き出されたときに、収納部に収納された記録媒体の当該収納部からの取出が可能である表示状態と収納部に収納された記録媒体の当該収納部からの取出が不可能である表示状態とを異なるように表示する表示素子を設けたことを特徴とする。
【００２２】
従って、収納部からの記録媒体の取出の可否を使用者が視覚的に判別することができ、記録媒体の取扱いに関して使い勝手の向上を図ることができる。
【発明を実施するための最良の形態】
【００２３】
以下に、本発明記録媒体チェンジャーを実施するための最良の形態を添付図面に従って説明する。以下に示した最良の形態は、本発明記録媒体チェンジャーを記録媒体としてディスク状記録媒体を扱うディスクチェンジャーに適用したものである。
【００２４】
尚、本発明の適用範囲は、ディスクチェンジャーに限られることはなく、テープ状記録媒体、カード型の記録媒体等の各種の記録媒体を扱う記録媒体チェンジャーに広く適用することができる。
【００２５】
記録媒体チェンジャー１は、図１乃至図３に示すように、筐体２内に所要の各部が配置されて成り、筐体２内には収納ブロック３とドライブブロック４、４と搬送ブロック５が配置又は支持されている。
【００２６】
筐体２の前面には、図１に示すように、複数の操作釦２ａ、２ａ、・・・及び表示画面２ｂが配置されている。所定の操作釦２ａを操作することにより、例えば、収納ブロック３の筐体２に対する出し入れや筐体２の内部に配置された各ブロック等を動作させることができ、表示画面２ｂに現在の動作状態等が表示される。
【００２７】
収納ブロック３は筐体２に対して前方へ引出可能とされている（図２参照）。収納ブロック３は筐体２の内部に引き込まれた状態においては、図示しないロック機構によって筐体２にロックされ引出不能とされている。使用者が所定の操作釦（ロック解除釦）２ａを操作すると、筐体２に対する収納ブロック３のロックが解除され該収納ブロック３が筐体２から引出可能とされる。
【００２８】
収納ブロック３は、例えば、側方（右方）に開口された縦長の箱状に形成された保持用筐体６と、該保持用筐体６の前面部に取り付けられた蓋体７と、保持用筐体６に対して装填可能及び取出可能とされた複数の収納ケース８、８、・・・とを備えている。
【００２９】
保持用筐体６の天面部には前後に離隔して複数の素子配置孔６ａ、６ａ、・・・が形成されている（図４参照）。
【００３０】
保持用筐体６の内部における上端部には、回路基板９が配置されている。回路基板９は保持用筐体６の右端部に配置され、上面９ａに複数の表示素子１０、１０、・・・が前後に離隔して搭載され、下面９ｂに、例えば、光センサーとして機能する複数のセンサー１１、１１、・・・が前後に離隔して搭載されている。表示素子１０、１０、・・・としては、例えば、発光ダイオード（ＬＥＤ：Light Emitting Diode）が用いられている。
【００３１】
表示素子１０、１０、・・・とセンサー１１、１１、・・・は同数が設けられ、収納ブロック３に収納可能な記録媒体１００、１００、・・・の数と同数とされている。表示素子１０、１０、・・・は回路基板９の右端部に搭載され、センサー１１、１１、・・・は回路基板９の右端寄りの位置において表示素子１０、１０、・・・の左方に搭載されている。
【００３２】
表示素子１０、１０、・・・はそれぞれ保持用筐体６の素子配置孔６ａ、６ａ、・・・に配置され、上端部がそれぞれ保持用筐体６の天面部から上方へ突出されている。従って、収納ブロック３が筐体２から引き出された状態において、使用者は表示素子１０、１０、・・・を視認することができる。
【００３３】
収納ケース８は、例えば、右方に開口され、上面部１２の内面側と下面部１３の内面側にそれぞれ前後に離隔して仕切８ａ、８ａ、・・・が設けられている。収納ケース８には上面部１２の右端寄りの位置に、前後に離隔して複数の検出用孔１２ａ、１２ａ、・・・又は右方に開口された複数の検出用切欠１２ａ、１２ａ、・・・が形成されている。
【００３４】
収納ケース８には複数の記録媒体１００、１００、・・・が前後に並ぶようにして収納される。記録媒体チェンジャー１には記録媒体１００、１００、・・・を収納するための収納ケース８、８、・・・が設けられているため、記録媒体１００、１００、・・・を収納ケース８単位で保持用筐体６に対して収納可能及び取出可能であり、記録媒体１００、１００、・・・を纏めて取り扱うことができ、記録媒体１００、１００、・・・の取扱いに関して使い勝手の向上を図ることができる。
【００３５】
記録媒体１００は、例えば、ディスクケースの内部に記録ディスクが回転可能に収納されて成り、仕切８ａ、８ａ間又は収納ケース８の側面部１４と仕切８ａの間に収納される。従って、仕切８ａ、８ａ間及び収納ケース８の側面部１４と仕切８ａの間の空間は、それぞれ記録媒体１００、１００、・・・が収納される収納部１５、１５、・・・として形成されている。
【００３６】
収納ケース８に形成された検出用孔（検出用切欠）１２ａ、１２ａ、・・・は、それぞれ収納部１５、１５、・・・の上方に対応して位置されている。
【００３７】
筐体２の内部には、図３に示すように、例えば、左方側に前後に延びるガイドレール１６、１７が配置され、右方側に前後に延びる搬送用レール１８が配置されている。ガイドレール１６、１７には収納ブロック３が前後方向へ移動自在に支持されている。
【００３８】
ドライブブロック４、４は、例えば、前後に並んで配置され、それぞれ右方に開口された媒体挿脱口４ａ、４ａを有している。ドライブブロック４は内部にディスクドライブ機構を備え、記録媒体１００に記録されたデーターを外部機器であるコンピューター等に設けられた記憶装置、例えば、ハードディスクやメモリー等に送出（アップロード）する機能を有する。
【００３９】
搬送ブロック５は搬送用レール１８に前後方向へ移動自在に支持され、内部に媒体取出機構を備えている。搬送ブロック５は収納ブロック３の収納部１５に収納された記録媒体１００を取り出して搬送しドライブブロック４に装着すると共にドライブブロック４から記録媒体１００を取り出して搬送し収納ブロック３の収納部１５に収納する機能を有する。
【００４０】
記録媒体チェンジャー１には全体の制御を司る制御部１９が設けられている（図５参照）。制御部１９はデーターベース１９ａを有し、該データーベース１９ａには、収納部１５、１５、・・・に対する記録媒体１００、１００、・・・の収納の有無や収納部１５、１５、・・・に収納された記録媒体１００、１００、・・・の種類が記憶されている。収納部１５、１５、・・・に収納された記録媒体１００、１００、・・・の種類は、データーのアップロードが完了した記録媒体１００であるか否かによって区別される。
【００４１】
収納部１５、１５、・・・に対する記録媒体１００、１００、・・・の収納の有無は、センサー１１、１１、・・・によって検出される。
【００４２】
制御部１９はインターフェース２０を介して操作釦２ａ、２ａ、・・・、表示画面２ｂ、収納ブロック３の回路基板９、ドライブブロック４、４及び搬送ブロック５に接続され、これらの各部を制御する。制御部１９はコンピューター等の外部機器２００に接続されており、ドライブブロック４、４によって読み出された記録媒体１００、１００、・・・に記録されたデーターが制御部１９によって外部機器２００の記憶装置、例えば、ハードディスクやメモリー等にアップロードされる。
【００４３】
以下に、記録媒体チェンジャー１における動作を図７に示すフローチャート図を参照して説明する。尚、図７には、使用者が行う動作は点線で囲み、記録媒体チェンジャー１の各部が行う動作は１点鎖線で囲むことにより区別して示している。
【００４４】
（Ｓ１）収納ブロック３が筐体２の内部に配置されている状態（図１及び図５参照）において、操作釦（ロック解除釦）２ａが操作される。
【００４５】
（Ｓ２）操作釦（ロック解除釦）２ａに対する操作によりロックが解除され、収納ブロック３の筐体２からの引出が可能な状態とされる。
【００４６】
（Ｓ３）ロックの解除により、表示素子１０、１０、・・・が点灯又は点滅可能とされる。
【００４７】
このとき点滅可能とされた表示素子１０に対応する収納部１５に収納されている記録媒体１００は、データーのアップロードが完了しているものである。点灯された表示素子１０に対応する収納部１５に収納されている記録媒体１００は、データーのアップロードが完了していないが、制御部１９によって収納部１５からの搬送ブロック５による取出指令が行われデーターのアップロードが行われる予定のものである。消灯状態が維持された表示素子１０に対応する収納部１５に収納されている記録媒体１００は、データーのアップロードが完了しておらず、制御部１９による収納部１５からの搬送ブロック５による取出指令も行われていないものである。
【００４８】
また、記録媒体１００が収納されていない収納部１５に対応した表示素子１０が点灯可能とされる場合があるが、この収納部１５はデーターのアップロードが行われる予定又はデーターのアップロードの実行中の記録媒体１００が収納されるものであり、この記録媒体１００は搬送ブロック５に保持されているかドライブブロック４に装着されている。
【００４９】
データーのアップロードが行われる記録媒体１００の収納が予定されていない収納部１５に対応した表示素子１０は、消灯が維持される。
【００５０】
（Ｓ４）筐体２から収納ブロック３が引き出される。筐体２から収納ブロック３が引き出されると、データーのアップロードが完了した記録媒体１００が収納されている収納部１５に対応する表示素子１０が点滅され、データーのアップロードは完了していないが制御部１９によって収納部１５からの搬送ブロック５による取出指令が行われデーターのアップロードが行われる予定の記録媒体１００が収納されている収納部１５に対応する表示素子１０が点灯され、データーのアップロードが行われる予定又はデーターのアップロードの実行中の記録媒体１００が収納される収納部１５に対応する表示素子１０が点灯される。
【００５１】
（Ｓ５）対応する全ての表示素子１０、１０、・・・が点滅されている収納ケース８及び対応する全ての表示素子１０、１０、・・・が消灯され何れの収納部１５、１５、・・・にも記録媒体１００、１００、・・・が収納されていない収納ケース８が、保持用筐体６から取出可能とされる。
【００５２】
対応する全ての表示素子１０、１０、・・・が点滅されている収納ケース８に収納されている記録媒体１００、１００、・・・は全てデーターのアップロードが完了しているため、保持用筐体６からの取り出しが可能であり、対応する全ての表示素子１０、１０、・・・が消灯され何れの収納部１５、１５、・・・にも記録媒体１００、１００、・・・が収納されていない収納ケース８は、各収納部１５、１５、・・・にデーターのアップロードの予定がある記録媒体１００、１００、・・・が収納される予定がないため、保持用筐体６からの取り出しが可能である。
【００５３】
このとき使用者は、表示素子１０、１０、・・・の表示状態により、データーのアップロードが完了した記録媒体１００、１００、・・・であるか否か、データーのアップロードが行われる記録媒体１００、１００、・・・が収納される収納部１５、１５、・・・であるか否かを容易に判別することができる。
【００５４】
（Ｓ６）取出可能な収納ケース８が存在しない場合には、消灯している表示素子１０に対応する収納部１５に対する記録媒体１００の収納、点滅している表示素子１０に対応する収納部１５に収納されている記録媒体１００の取出及び点滅している表示素子１０に対応する収納部１５に対する記録媒体１００の交換が可能とされる。
【００５５】
（Ｓ７）センサー１１、１１、・・・によって収納部１５、１５、・・・に対する記録媒体１００、１００、・・・の収納の有無が検出され、この検出結果は制御部１９に送出される。尚、収納ケース８、８、・・・が保持用筐体６に装填された状態においては、回路基板９に搭載されたセンサー１１、１１、・・・の真下に、それぞれ収納ケース８、８、・・・に形成された検出用孔（検出用切欠）１２ａ、１２ａ、・・・が位置され、センサー１１、１１、・・・による収納部１５、１５、・・・に対する記録媒体１００、１００、・・・の収納の有無検出は、センサー１１、１１、・・・から出射された検出光が検出用孔（検出用切欠）１２ａ、１２ａ、・・・を通過されることにより行われる。
【００５６】
（Ｓ８）点滅している表示素子１０に対応する収納部１５に収納されていた記録媒体１００が取り出された場合には、当該表示素子１０が消灯される。このとき消灯していた表示素子１０又は点滅していた表示素子１０に対応する収納部１５に対して記録媒体１００が収納されても、当該表示素子１０は消灯が維持される。
【００５７】
（Ｓ９）収納ブロック３が筐体２の内部に引き込まれて収納される。
【００５８】
（Ｓ１０）収納ブロック３が筐体２の内部に引き込まれると、収納ブロック３がロック機構によって筐体２にロックされる。このロックの解除は（Ｓ１）における操作釦（ロック解除釦）２ａを操作することにより行うことができる。尚、搬送ブロック５による収納ブロック３からの記録媒体１００の取出が行われているとき及び搬送ブロック５による収納ブロック３への記録媒体１００の収納が行われているときには、操作釦（ロック解除釦）２ａが操作されても筐体２に対する収納ブロック３のロックが解除されないように設定されている。
【００５９】
（Ｓ１１）収納ブロック３が筐体２の内部に引き込まれてロックされると、全ての表示素子１０、１０、・・・が消灯状態とされる。収納ブロック３が筐体２の内部に引き込まれたときには、外部から表示素子１０、１０、・・・の表示状態は視認不能であるため、表示素子１０、１０、・・・を不必要に点灯又は点滅させることがなく、省電力化を図ることができる。
【００６０】
（Ｓ１２）搬送ブロック５が動作されて制御部１９によって取出指令が行われた記録媒体１００が収納部１５から取り出され、取り出された記録媒体１００が搬送ブロック５によって搬送されてドライブブロック４に装着される。このとき制御部１９による取出指令は、使用者による操作釦２ａに対する操作に基づいて行われる。また、制御部１９による取出指令は、制御部１９のデーターベース１９ａに記憶された情報に基づいて、データーのアップロードが行われていない記録媒体１００、１００、・・・を順に取り出すように行われてもよい。
【００６１】
（Ｓ１３）ドライブブロック４に装着された記録媒体１００に記録されたデーターがデーターベース１９ａを介して外部機器２００の記憶装置にアップロードされる。ドライブブロック４においては、データーのアップロードに先立ち、記録媒体１００のファイル構造の読取が行われる。
【００６２】
データーのアップロードが完了すると、外部機器２００から制御部１９に対してデーターのアップロードが完了した記録媒体１００の排出指令が行われ、この排出指令に基づいて当該記録媒体１００が収納される収納部１５に対応する表示素子１０に制御部１９から点滅指令が行われる。
【００６３】
以上に記載した通り、記録媒体チェンジャー１にあっては、収納ブロック３が筐体２から引き出された状態において、記録されたデーターの記憶装置へのアップロードが完了した記録媒体１００が収納された収納部１５における表示状態と記録されたデーターの記憶装置へのアップロードが完了していない記録媒体１００が収納された収納部１５における表示状態とが異なるように表示される表示素子１０、１０、・・・を設けたので、データーのアップロードが完了した記録媒体１００か否かを使用者が視覚的に判別することができ、記録媒体１００に記録されたデーターのアップロードに関する作業効率を向上させることができる。
【００６４】
また、表示素子１０、１０、・・・が記録媒体１００、１００、・・・の状態に応じて、点滅、点灯、消灯と言う三つの状態で表示されるため、記録媒体１００、１００、・・・の判別を容易に行うことができ、記録媒体１００、１００、・・・の取扱いに関して使い勝手の向上を図ることができる。
【００６５】
さらに、記録媒体チェンジャー１にあっては、収納ケース８、８、・・・に検出用孔（検出用切欠）１２ａ、１２ａ、・・・を形成しているため、収納ケース８、８、・・・が保持用筐体６に装填された状態において収納部１５、１５、・・・に対する記録媒体１００、１００，・・・の有無検出を行うことができ、収納ケース８、８、・・・単位で記録媒体１００、１００、・・・の取扱いを行うことができる。
【００６６】
尚、上記したように、センサー１１、１１、・・・は保持用筐体６の開口側である右端寄りの位置に配置されており、保持用筐体６に装填された収納ケース８の収納部１５から記録媒体１００の略全体が取り出されたときに、センサー１１によって収納部１５に記録媒体１００が収納されていないことが検出される。従って、収納部１５内で記録媒体１００が一定の範囲で移動された場合には、センサー１１によって収納部１５に記録媒体１００が収納されていないことが検出されることはなく、検出の過誤を防止することができる。
【００６７】
上記には、それぞれ複数の収納部１５、１５、・・・を有する収納ケース８、８、・・・を設けた例を示したが、収納ケース８、８、・・・を設けずに、保持用筐体６に複数の収納部を形成して、保持用筐体６の収納部に記録媒体１００、１００、・・・を収納する構成とすることも可能である。
【００６８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６９】
【図１】図２乃至図７と共に本発明の最良の形態を示すものであり、本図は、記録媒体チェンジャーの概略斜視図である。
【図２】収納ブロックが筐体から引き出され一つの収納ケースが保持用筐体から取り出された状態を示す記録媒体チェンジャーの斜視図である。
【図３】記録媒体チェンジャーの内部構造を示す斜視図である。
【図４】記録媒体が収納された収納ケースが保持用筐体に装填された状態を示す概略断面図である。
【図５】記録媒体チェンジャーの構成を示すブロック図である。
【図６】搬送ブロックが筐体の内部に引き込まれた状態を示す斜視図である。
【図７】記録媒体チェンジャーに関する動作を示すフローチャート図である。
【符号の説明】
【００７０】
１…記録媒体チェンジャー、２…筐体、３…収納ブロック、４…ドライブブロック、５…搬送ブロック、６…保持用筐体、８…収納ケース、９…回路基板、１０…表示素子、１１…センサー、１２ａ…検出用孔（検出用切欠）、１５…収納部、１００…記録媒体
【図１】
2008262659.tif 000003
【図２】
2008262659.tif 000004
【図３】
2008262659.tif 000005
【図４】
2008262659.tif 000006
【図５】
2008262659.tif 000007
【図６】
2008262659.tif 000008
【図７】
2008262659.tif 000009